(57)【要約】【課題】軟らかい繊維布上に図案を加工し、該図案は創作による模様でも広告商標図案でもよく、製造コストも安価な血圧計用腕帯を提供すること。【解決手段】繊維布１０、裏当て２０、面ファスナのループ面３０で形成される。繊維布１０の表面に、型プレスと加熱加圧によって立体感のある図案模様を加工する。繊維布１０の一側に面ファスナのフック面１３を設け、裏当て２０と面ファスナのループ面３０の反対面を繊維布１０の裏面に縫い付ける。それにより繊維布１０と裏当て２０並びにループ面３０の間に装着部材２を入れ込み、装着部材２の気嚢２２の空気弁２５，２６と突起２７を繊維布１０の穴１１，１２を通して表面に突出させ、電子測定器４０を各空気弁と突起に結合させ、手首式血圧計を形成する。【選択図】図１
0003120595.tif 000002
【実用新案登録請求の範囲】
【請求項１】
帯状の繊維布と、前記繊維布の裏面の長手方向の一端寄りに配置される裏当てと、前記繊維布の裏面の長手方向の他端寄りに配置される面ファスナのループ面とで構成され、前記繊維布は、その表面に型プレスの製造工程によって図案模様が成型されると共に、長手方向の一端寄りに面ファスナのフック面が設けられ、前記面ファスナのフック面よりも中央寄りに形状及び大きさの異なる複数の穴が開けられ、前記裏当ての長手方向の長さは前記繊維布の長手方向の長さよりも短く形成され、前記面ファスナのループ面の長手方向の長さは前記繊維布の長手方向の長さよりも短く形成され、前記繊維布の裏面に前記裏当て及び前記面ファスナのループ面の反対面が縫い付けられてなることを特徴とする血圧計用腕帯。
【請求項２】
前記繊維布に前記裏当て及び前記面ファスナのループ面の反対面が一体に縫い上げられてなることを特徴とする請求項１に記載の血圧計用腕帯。
【請求項３】
前記裏当ての長手方向の長さと前記面ファスナのループ面の長手方向の長さを足した長さが、前記繊維布の長手方向の長さよりも長く、前記裏当てと前記面ファスナのループ面とにより重複部分が形成されていることを特徴とする請求項１又は２に記載の血圧計用腕帯。
【請求項４】
前記裏当ての長手方向の長さと前記面ファスナのループ面の長手方向の長さを足した長さが、前記繊維布の長手方向の長さよりも短く、前記裏当てと前記面ファスナのループ面の反対面とを前記繊維布の裏面にそれぞれ別々に縫い合わせてなることを特徴とする請求項１に記載の血圧計用腕帯。
【請求項５】
前記繊維布の表面の長手方向の一端寄りに面ファスナのフック面が縫い付けられ、前記繊維布の表面の長手方向の他端寄りに、前記一端寄りに縫い付けられた面ファスナのフック面よりも小さい面ファスナのフック面が縫い付けられたことを特徴とする請求項１乃至４のうちのいずれか１つに記載の血圧計用腕帯。
【請求項６】
請求項１乃至請求項５のうちのいずれか１つに記載の血圧計用腕帯の他端に、さらに止め金が設けられたことを特徴とする血圧計用腕帯。
【請求項７】
請求項１乃至請求項６のうちのいずれか１つに記載の血圧計用腕帯の縁全体に、さらにパイピングが施されたことを特徴とする血圧計用腕帯。
【請求項８】
前記繊維布の表面の図案模様は、立体的な浮き彫り図案が表面に施されたローラによる加熱と回転加圧とにより前記繊維布にプリントされたものであることを特徴とする請求項１乃至請求項７のうちのいずれか１つに記載の血圧計用腕帯。
【考案の詳細な説明】
【技術分野】
【０００１】
本考案は、血圧計用腕帯の図案に関し、詳細には、軟らかい繊維布上に特殊図案を加工し、血圧計全体の質感を高め、腕帯上に商標図案を浮き上がらせることができ、広告効果を高めることができる血圧計用腕帯に関する。
【背景技術】
【０００２】
従来の血圧計の構造は、軟らかい布製のバンドに電子測定器が結合されており、腕の脈拍の部分に装着することによって、血圧値および脈拍数を測定するようになっている。また、従来の血圧計の布製のバンドは単色無地のデザインであった。
【考案の開示】
【考案が解決しようとする課題】
【０００３】
そのために、各メーカーの同類の型の血圧計製品は、外観および質感上の類似度が極めて高く、商品の特徴を効果的に際立たせることができないでいた。血圧計用腕帯の外観、質感的に際立たせようとして、腕帯の布にラベルなど別のプリント布を縫い付けると、原料コストおよび加工のための労働コストが増加して、製品の競争力において不利になる。同時にメーカーが体積の小さい血圧計上にロゴ商標図案をプリントしようとすると、電子測定器の外側の限られた部分にしかプリントできないため、血圧計を最もよく使う老人層に、商標図案を効果的にはっきりと認識させることができない。そのため、いかにして図案を比較的に広い面積の腕帯にデザインし、使用者にもっと簡単にはっきり区別させることができるかが、メーカーの広告効果を大幅に高める鍵となる。
【０００４】
本考案はこれに鑑みてなされたもので、その目的は、軟らかい繊維布に図案模様を加工し、該図案模様は創作による模様でも広告商標図案でもよく、製造コストも安価な血圧計用腕帯を提供することにある。
【課題を解決するための手段】
【０００５】
請求項１に係る血圧計用腕帯は、上記課題を解決するために、帯状の繊維布と、前記繊維布の裏面の長手方向の一端寄りに配置される裏当てと、前記繊維布の裏面の長手方向の他端寄りに配置される面ファスナのループ面とで構成され、前記繊維布は、その表面に型プレスの製造工程によって図案模様が成型されると共に、長手方向の一端寄りに面ファスナのフック面が設けられ、前記面ファスナのフック面よりも中央寄りに形状及び大きさの異なる複数の穴が開けられ、前記裏当ての長手方向の長さは前記繊維布の長手方向の長さよりも短く形成され、前記面ファスナのループ面の長手方向の長さは前記繊維布の長手方向の長さよりも短く形成され、前記繊維布の裏面に前記裏当て及び前記面ファスナのループ面の反対面が縫い付けられてなることを特徴とする。
【０００６】
請求項２に係る血圧計用腕帯は、請求項１に係る血圧計用腕帯において、前記繊維布に前記裏当て及び前記面ファスナのループ面の反対面が一体に縫い上げられてなることを特徴とするものである。
【０００７】
請求項３に係る血圧計用腕帯は、請求項１又は２に係る血圧計用腕帯において、前記裏当ての長手方向の長さと前記面ファスナのループ面の長手方向の長さを足した長さが、前記繊維布の長手方向の長さよりも長く、前記裏当てと前記面ファスナのループ面とにより重複部分が形成されていることを特徴とするものである。
【０００８】
請求項４に係る血圧計用腕帯は、請求項１に係る血圧計用腕帯において、前記裏当ての長手方向の長さと前記面ファスナのループ面の長手方向の長さを足した長さが、前記繊維布の長手方向の長さよりも短く、前記裏当てと前記面ファスナのループ面の反対面とを前記繊維布の裏面にそれぞれ別々に縫い合わせてなることを特徴とするものである。
【０００９】
請求項５に係る血圧計用腕帯は、請求項１乃至４のうちのいずれか１つに記載の血圧計用腕帯において、前記繊維布の表面の長手方向の一端寄りに面ファスナのフック面が縫い付けられ、前記繊維布の表面の長手方向の他端寄りに、前記一端寄りに縫い付けられた面ファスナのフック面よりも小さい面ファスナのフック面が縫い付けられたことを特徴とするものである。
【００１０】
請求項６に係る血圧計用腕帯は、請求項１乃至５のうちのいずれか１つに記載の血圧計用腕帯において、血圧計用腕帯の他端に、さらに止め金が設けられたことを特徴とするものである。また、請求項７に係る血圧計用腕帯は、請求項１乃至６のうちのいずれか１つに記載の血圧計用腕帯において、血圧計用腕帯の縁全体に、さらにパイピングが施されたことを特徴とするものである。
【００１１】
請求項８に記載の血圧計用腕帯は、請求項１乃至請求項７のうちのいずれか１つに記載の血圧計用腕帯において、前記繊維布の表面の図案模様は、立体的な浮き彫り図案が表面に施されたローラによる加熱と回転加圧とにより前記繊維布にプリントされたものであることを特徴とするものである。
【考案の効果】
【００１２】
本考案の血圧計用腕帯によれば、腕帯の表面に高質感の立体的の図案模様を形成でき、腕帯に特定の図案商標をデザインすることもでき、製品の質感をさらに際立たせることができる。手触りのよい軟らかい布製であって、丈夫であり、製造コストも安価である。
【考案を実施するための最良の形態】
【００１３】
以下、本考案の実施の形態を図面に基いて詳細に説明する。図１は、本考案の実施形態に係る血圧計用腕帯（以下、腕帯１という）を分解して示す斜視図である。図２は腕帯１の斜視図である。また、図３は腕帯１の装着部材挿入部の構造を示す斜視図である。
【００１４】
図１乃至図２に示すように、腕帯１は、帯状の繊維布１０、繊維布１０の裏面の長手方向の一端寄りに配置される裏当て２０と、繊維布１０の裏面の長手方向の他端寄りに配置される面ファスナのループ面３０とから形成される。繊維布１０は、その表面に型プレスの製造工程によって図案模様１５が成型される。また、繊維布１０の表面の長手方向の一端寄りには、面ファスナのフック面１３が縫い付けられ、繊維布１０の表面の長手方向の他端寄りには、一端寄りに縫い付けられた面ファスナのフック面１３よりも大きさが小さい面ファスナのフック面１４が縫い付けられている。さらに、繊維布１０の面ファスナのフック面１３よりも中央寄りには、形状及び大きさの異なる複数の穴（大きい穴１１，小さい穴１２）が開けられている。
【００１５】
繊維布１０の表面に細かい精巧な図案模様１５を施す方法としては、レーザー彫刻技術や放電加工技術、電解エッチング、数値ＣＮＣ加工機切削技術などを用いると、様々なデザインの図案を浮き上がらせることが可能である。また、繊維布１０を金型の中に置き、金型による加圧と加熱の加工技術によって繊維布１０に図案模様１５を焼き付けるようにしてもよい。また、立体的な浮き彫り図案をローラーの表面に予め施し、該ローラーの加熱と回転加圧により、繊維布１０に立体図案（図案模様１５）をプリントするようにしてもよい。これにより、腕帯１全体の質感を高めることができる。
【００１６】
裏当て２０は、繊維布１０の裏面の中央部分から長手方向の一端までに亘って縫い付けられるもので、繊維布１０と同じ幅を有する。裏当て２０の長手方向の長さは繊維布１０の長手方向の長さよりも短く形成されている。図１に示す実施形態では、裏当て２０の長手方向の長さは、繊維布１０の長手方向の長さの約半分としてある。
【００１７】
面ファスナのループ面３０は、該ループ面３０の反対面と繊維布１０の裏面とを合わせて繊維布１０の裏面の中央部分から長手方向の他端までに亘って縫い付けられるもので、繊維布１０と同じ幅を有する。面ファスナのループ面３０の長手方向の長さは、繊維布１０の長手方向の長さよりも短く形成されているもので、図１に示す実施形態では、面ファスナのループ面３０の長手方向の長さは、繊維布１０の長手方向の長さの半分よりも長く形成してある。
【００１８】
また、図１に示す実施形態では、裏当て２０の長手方向の長さと面ファスナのループ面３０の長手方向の長さを足した長さが、繊維布１０の長手方向の長さよりも長くなるようにしてあり、裏当て２０と面ファスナのループ面３０の反対面を繊維布１０の裏面に縫い付けたときに、裏当て２０と面ファスナのループ面３０の反対面とが重なって接する重複部分Ａが形成されるようにしてある（図１参照）。そして、各部分のパーツを一体に縫い上げて腕帯１の他端に止め金（腕帯１の他端を挟み込むようにして金属片を折り曲げ）１６を鋲接し、繊維布１０の周辺全体に精巧なパイピング１７を施す。
【００１９】
図３に示すように、本考案の腕帯１は、縫製後、繊維布１０と裏当て２０の間及び繊維布１０と面ファスナのループ面３０との間に、血圧計を取り付けるための装着部材２の挿入部２１が形成される。なお、面ファスナのループ面３０と繊維布１０とは、幅方向に所定の間隔で複数箇所縫い目３１を形成してその結合度を強める。
【００２０】
装着部材２は、空気を入れることのできる帯状の気嚢２２を合成樹脂製の固定部材２３の裏面に結合してなる（図３参照）。固定部材２３は手首に馴染むように上面側に凸となるように湾曲している。気嚢２２は、長手方向の両端部にそれぞれ短い延長部分２４が設けられ、両端の延長部分２４の熱封鎖により気嚢２２からの空気漏れを防ぐようになっている。固定部材２３の上面には、給気弁２５並びに排気弁２６が突設されると共に、取付用の複数の突起２７が設けられている。装着部材２は、気嚢２２と固定部材２３を腕帯１に形成された挿入部２１の内部に入れ込み、挿入部２１の開口部である重複部分Ａに気嚢２２を縫い付けて包み隠す。
【００２１】
なお、前記重複部分Ａが必ず形成される必要はなく、裏当て２０の長手方向の長さと面ファスナのループ面３０の長手方向の長さを足した長さが、繊維布１０の長手方向の長さよりも短くなるようにし、裏当て２０と面ファスナのループ面３０の反対面を別々に繊維布１０の裏面に縫い合わせ、両者の接する部分に重複部分をつくらなくてもよい。
【００２２】
また、図４に示すように、腕帯１の繊維布１０に設けられた大きい穴１１を通して給気弁２５と排気弁２６とを腕帯１の表面に突出させ、繊維布１０に設けられた小さい穴１２を通して複数の突起２７を突出させる。電子測定器（血圧計）４０は各空気弁２５，２６と突起２７に結合して手首式血圧計が形成される（図５参照）。
【００２３】
図５乃至図６に示すように、本考案の血圧計用腕帯１は、電子測定器４０と結合して手首式血圧計とすることができ、軽くて携帯に便利な器具となる。高血圧症や糖尿病の患者にとっては、いつでも血圧を測定できることにより健康状態に注意し、中風など心臓血管疾病の発病を予防することができる。使用時には、固定部材２３の湾曲した部分を手首の手の平側部分４１に当て、延びている繊維布１０を手首部分に巻き付け、裏面の面ファスナのループ面３０を表面の面ファスナのフック面１３に接着する。残りの繊維布１０は、先端部分を裏面に折り曲げて小さな面ファスナのフック面１４を面ファスナのループ面３０と対向させ、折り曲げた部分をさらに裏面に折り曲げることにより、面ファスナのフック面１４を面ファスナのループ面３０に接着することができる。
【００２４】
測定スイッチ４２を押すと空気が入って気嚢２２が膨らみ、関連の電子回路の測定により液晶画面上に最高血圧、最低血圧、脈拍数が表示され、使用者は自身の健康状態をはっきり知ることができる。また、腕帯の表にデザインされた図案模様１５によって、血圧計全体の質感が高められ、品質の良さが際立たされる。
【００２５】
図７に本考案の血圧計用腕帯における図案模様の第２実施例を示す。繊維布１０上の図案模様はその他のデザインにすることもでき、例えば斬新で美しいストーン模様１８にすることもできる。また、図８は本考案の血圧計用腕帯における図案模様の第３実施例を示している。図８に示すように、血圧計の腕帯１の図案をロゴ商標図案１９として製作することで広告効果を発揮することもできる。
【００２６】
上述のように、本考案は軟らかい素材の腕帯に図案または商標をデザインし、製品の質感を高め、血圧計と結合させて適用するもので、プレートやラベルを縫い付ける必要がなく、新しくかつ実用性の高いものである。
【図面の簡単な説明】
【００２７】
【図１】本考案の実施形態に係る血圧計用腕帯を分解して示す斜視図である。
【図２】同上の実施形態の血圧計用腕帯の斜視図である。
【図３】同上の実施形態の血圧計用腕帯の装着部材挿入部の構造を示す斜視図である。
【図４】同上の実施形態の血圧計用腕帯への電子測定器（血圧計）の取り付けを示す斜視図である。
【図５】同上の実施形態の血圧計用腕帯に電子測定器（血圧計）を取り付けた状態を示す斜視図である。
【図６】図５の電子測定器（血圧計）を手首に装着した状態を示す斜視図である。
【図７】本考案の血圧計用腕帯における図案模様の第２実施例を示す斜視図である。
【図８】本考案の血圧計用腕帯における図案模様の第３実施例を示す斜視図である。
【符号の説明】
【００２８】
１  腕帯
２  装着部材
１０  繊維布
１１  穴
１２  穴
１３  面ファスナのフック面
１４  面ファスナのフック面
１５  図案模様
１６  止め金
１７  パイピング
１８  ストーン模様
１９  商標図案
２０  裏当て
２１  挿入部
２２  気嚢
２３  固定部材
２４  延長部分
２５  給気弁
２６  排気弁
２７  突起
３０  面ファスナのループ面
３１  縫い目
４０  電子測定器（血圧計）
４１  手首部分
４２  測定スイッチ
Ａ  重複部分
【図１】
0003120595.tif 000003
【図２】
0003120595.tif 000004
【図３】
0003120595.tif 000005
【図４】
0003120595.tif 000006
【図５】
0003120595.tif 000007
【図６】
0003120595.tif 000008
【図７】
0003120595.tif 000009
【図８】
0003120595.tif 000010